(57)【要約】      （修正有）【課題】容器本体に充填される内容物が粘性の高い液体やジェルやゲル状の固体であっても、残り少なくなった内容物を、ポンプを用いて吸い上げて取り出すことができるポンプ式容器を提供することである。【解決手段】内容物が充填される容器本体１１０と、前記内容物を吐出する吐出口１２１を有し、前記容器本体の上部から突出するように設けられるポンプヘッド１２０と、前記容器本体に充填されている内容物を吸い上げるポンプ部１３０と、前記容器本体の底面部に当接するように前記ポンプ部の下端に配置され、前記ポンプヘッドが押下されることにより回転する羽部材１４０とを備える。【選択図】図１
2018058623.tif 000002
【特許請求の範囲】
【請求項１】
内容物が充填される容器本体と、
前記内容物を吐出する吐出口を有し、前記容器本体の上部から突出するように設けられるポンプヘッドと、
前記容器本体に充填されている内容物を吸い上げるポンプ部と、
前記容器本体の底面部に当接するように前記ポンプ部の下端に配置され、前記ポンプヘッドが押下されることにより回転する羽部材とを備える、ポンプ式容器。
【請求項２】
前記ポンプ部は、
前記ポンプヘッドが押下されることにより下方に移動するシリンダキャップと、
前記シリンダキャップと連動するピストン軸とを備え、
前記シリンダキャップおよび前記ピストン軸のうち、いずれか一方には表面に螺旋溝が設けられ、他方には当該螺旋溝に嵌合する凸状部が設けられることを特徴とする、請求項１に記載のポンプ式容器。
【請求項３】
前記ポンプ式容器は、
前記羽部材と前記ポンプ部との連結部において、前記羽部材の逆回転を防止する第１ラチェット機構と、
前記羽部材と前記容器本体の底面部との当接部分において、前記羽部材の逆回転を防止する第２ラチェット機構とを含む、請求項１または２に記載のポンプ式容器。
【請求項４】
前記羽部材は、前記ポンプヘッドが押下されることにより回転する方向に対して凹湾形状を有し、前記容器本体の底面部における内容物を掻集する掻集部を含むことを特徴とする、請求項１〜３のいずれかに記載のポンプ式容器。
【請求項５】
前記掻集部は、前記容器本体の底面部の中心点を中心として回転し、当該中心点と当該掻集部の中心点側の一端とを結んだ線よりも、当該回転方向に対して前側に位置することを特徴とする、請求項４に記載のポンプ式容器。
【請求項６】
前記掻集部は、上部カバーを有することを特徴とする、請求項４または５に記載のポンプ式容器。
【請求項７】
前記底面部は、中央部に向かって下りの傾斜を有することを特徴とする、請求項１〜６のいずれかに記載のポンプ式容器。
【発明の詳細な説明】
【技術分野】
【０００１】
本発明は、容器本体に充填された内容物をポンプで吸い上げることによって吐出させるポンプ式容器であり、より特定的には、残り少なくなった内容物を吸い上げ可能なポンプ式容器に関する。
【背景技術】
【０００２】
従来のポンプ式容器は、容器本体に充填された内容物（例えば、シャンプーやリンス等の液体）が残り少なくなると、容器本体内の空気がポンプに吸い込まれるようになり、内容物を取り出すことが困難になってしまうという問題があった。
【０００３】
そのため、容器本体内の内容物が残り少なくなっても取り出せるポンプ式容器が望まれていた。その課題を解決するためのポンプ式容器として、容器本体内の内容物が使用されて残りが少なくなると、当該内容物を一ヶ所に集めて、ポンプで吸い上げる容器がある（例えば、特許文献１）。この特許文献１に開示されているポンプ式容器は、容器本体内の底面部に傾斜が設けられており、当該底面部の最も凹んだ箇所に内容物が集められるような構造となっている。そして、当該底面部の最も凹んだ箇所にポンプの下端を配置して、残り少なくなった内容物を吸い上げる。
【先行技術文献】
【特許文献】
【０００４】
【特許文献１】特開２０１６−９８０４３号公報
【発明の概要】
【発明が解決しようとする課題】
【０００５】
しかしながら、特許文献１に開示されているポンプ式容器は、容器本体に充填された内容物が粘性の低い液体であれば、底面部の最も凹んだ箇所に残り少なくなった内容物がたまりやすいため、集まった内容物をポンプで吸い上げることができる。しかし、内容物が粘性の高い液体（例えば、シャンプーやリンス等）や固体（ジェルやゲル状のもの）の場合、当該内容物が容器本体の底面部にへばりついて底面部の最も凹んだ箇所に集まりづらい。このため、容器本体内で残り少なくなった内容物を、ポンプを用いて吸い上げて取り出すことが困難であった。
【０００６】
本発明は、かかる従来発明における課題に鑑みてされたものであり、容器本体に充填される内容物が粘性の高い液体やジェルやゲル状の固体であっても、残り少なくなった内容物を、ポンプを用いて吸い上げて取り出すことができるポンプ式容器を提供することである。
【課題を解決するための手段】
【０００７】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【０００８】
本発明の一局面に係るポンプ式容器は、内容物が充填される容器本体と、前記内容物を吐出する吐出口を有し、前記容器本体の上部から突出するように設けられるポンプヘッドと、前記容器本体に充填されている内容物を吸い上げるポンプ部と、前記容器本体の底面部に当接するように前記ポンプ部の下端に配置され、前記ポンプヘッドが押下されることにより回転する羽部材とを備える。
【０００９】
かかる構成により、本発明の一局面に係るポンプ式容器は、容器本体の底面部に残留した内容物を羽部材によって掻き集めるため、容器本体に充填される内容物が粘性の高い液体やジェルやゲル状の固体であっても、残り少なくなった内容物を、ポンプを用いて吸い上げて取り出すことができる。
【００１０】
また、好ましくは、前記ポンプ部は、前記ポンプヘッドが押下されることにより下方に移動するシリンダキャップと、前記シリンダキャップと連動するピストン軸とを備え、前記シリンダキャップおよび前記ピストン軸のうち、いずれか一方には表面に螺旋溝が設けられ、他方には当該螺旋溝に嵌合する凸状部が設けられることを特徴とする。
【００１１】
かかる構成により、本発明の一局面に係るポンプ式容器は、螺旋溝に嵌合した凸状部が当該螺旋溝に沿って移動することにより、ピストン軸が回転するとともにポンプ部の下端に配置された羽部材が回転する。その結果、残り少なくなった内容物を、羽部材によって掻き集めるため、ポンプを用いて吸い上げて取り出すことができる。
【００１２】
また、好ましくは、前記ポンプ式容器は、前記羽部材と前記ポンプ部との連結部において、前記羽部材の逆回転を防止する第１ラチェット機構と、前記羽部材と前記容器本体の底面部との当接部分において、前記羽部材の逆回転を防止する第２ラチェット機構とを含むことを特徴とする。
【００１３】
かかる構成により、本発明の一局面に係るポンプ式容器は、羽部材が一方向に回転するため、残り少なくなった内容物を、より掻き集め易くなる。
【００１４】
また、好ましくは、前記羽部材は、前記ポンプヘッドが押下されることにより回転する方向に対して凹湾形状を有し、前記容器本体の底面部における内容物を掻集する掻集部を含むことを特徴とする。
【００１５】
かかる構成により、本発明の一局面に係るポンプ式容器は、前記羽部材は、前記ポンプヘッドが押下されることにより回転する方向に対して凹湾形状を有するため、容器本体の底面部における内容物を回転による遠心力で外側に広がることを防止するとともに中央部に集めることができる。
【００１６】
また、好ましくは、前記掻集部は、前記容器本体の底面部の中心点を中心として回転し、当該中心点と当該掻集部の中心点側の一端とを結んだ線よりも、当該回転方向に対して前側に位置することを特徴とする。
【００１７】
かかる構成により、本発明の一局面に係るポンプ式容器は、当該中心点と当該掻集部の中心点側の一端とを結んだ線よりも、当該回転方向に対して前側に位置するため、回転による遠心力で容器本体の底面部における内容物を、外側に広がることを防止するとともに、より確実に中央部に集めることができる。
【００１８】
また、好ましくは、前記掻集部は、上部カバーを有することを特徴とする。
【００１９】
かかる構成により、本発明の一局面に係るポンプ式容器は、掻集部によって掻き集める内容物が当該掻集部の回転中に当該掻集部を乗り越えることを防止するため、残り少なくなった内容物を、より効率良く集めることができる。
【００２０】
また、好ましくは、前記底面部は、中央部に向かって下りの傾斜を有することを特徴とする。
【００２１】
かかる構成により、本発明の一局面に係るポンプ式容器は、底面部が中央部に向かって傾斜しているため、残り少なくなった内容物を効率良く中央部に集めることができる。
【発明の効果】
【００２２】
以上のように、本発明によれば、容器本体に充填される内容物が粘性の高い液体やジェルやゲル状の固体であっても、残り少なくなった内容物を、ポンプを用いて吸い上げて取り出すことができる。
【図面の簡単な説明】
【００２３】
【図１】本発明の一実施形態に係るポンプ式容器１００の内部構造の概要を示す断面斜視図である。
【図２】本発明の一実施形態に係るポンプ式容器１００の各部材を示す分解斜視図である。
【図３】本発明の一実施形態に係る羽部材１４０を示す平面図である。
【図４】掻集部１４１の形状を詳しく説明するための図である。
【図５】本発明の一実施形態に係る容器本体１１０の底面部近傍を示す拡大図である。
【図６】本発明の一実施形態に係る容器本体１１０の底面部に蓋１１１を有する構成を示す拡大図である。
【発明を実施するための形態】
【００２４】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２５】
図１は、本発明の一実施形態に係るポンプ式容器１００の内部構造の概要を示す断面斜視図である。図１において、ポンプ式容器１００は、容器本体１１０と、ポンプヘッド１２０と、ポンプ部１３０と、羽部材１４０とを備える。
【００２６】
容器本体１１０には、例えば、シャンプー、リンス、またはジェルやゲル状の化粧液等の内容物が充填される。
【００２７】
ポンプヘッド１２０は、容器本体１１０の上部から突出するように設けられており、押下することによって容器本体１１０に充填されている内容物を吐出口１２１から吐出する。
【００２８】
ポンプ部１３０は、ポンプヘッド１２０と連結されており、下端部は容器本体１１０の底面部近傍にまで延びている。ポンプヘッド１２０が押下されることにより、容器本体１１０に充填されている内容物を下方から上方へ吸い上げてポンプヘッド１２０に導く。その結果、容器本体１１０に充填されている内容物がポンプヘッド１２０の吐出口１２１から吐出される。
【００２９】
羽部材１４０は、容器本体１１０の底面部に掻集部１４１が当接するようにポンプ部１３０の下端に配置される。ポンプヘッド１２０が押下されることにより、ポンプ部１３０が回転し、それに伴って羽部材１４０も回転する。その結果、容器本体１１０の底面部に残っている内容物を底面部の中央部に掻き集めて、羽部材１４０の吸込み口１４２に導くことができる。
【００３０】
図２は、本発明の一実施形態に係るポンプ式容器１００の各部材を示す分解斜視図である。ポンプヘッド１２０は、容器本体（図示せず）内において、ポンプ部１３０と連結されるが、その際、バネ材１２２が内蔵されている。ポンプヘッド１２０が押下されることにより容器本体内に充填されている内容物がポンプ部１３０によって吸い上げられて、吐出口１２１から吐出される。その後、押下されたポンプヘッド１２０は、当該バネ材１２２によって元の位置に戻される。
【００３１】
ポンプ部１３０は、シリンダキャップ１３１とピストン軸１３２とを含んでおり、当該シリンダキャップ１３１は、ピストン軸１３２の一部を覆うように取り付けられている。シリンダキャップ１３１には、その表面に螺旋溝１３３が設けられており、当該螺旋溝１３３には、ピストン軸１３２に備えられた凸状部１３４が嵌合している。
【００３２】
ポンプヘッド１２０が押下されると、当該ポンプヘッド１２０に連結されたシリンダキャップ１３１が下方に移動する。シリンダキャップ１３１に設けられた螺旋溝１３３に凸状部１３４が嵌合しているため、シリンダキャップ１３１の螺旋溝１３３が下方に移動するのに伴って、ピストン軸１３２に備えられた凸状部１３４が螺旋溝１３３を沿って移動することにより、ピストン軸１３２が回転する。
【００３３】
なお、ここでは、シリンダキャップ１３１に螺旋溝１３３を設け、ピストン軸１３２に凸状部１３４を備えているが、その逆の構成であっても構わない。具体的には、ピストン軸１３２に螺旋溝を設け、シリンダキャップ１３１に当該螺旋溝に嵌合する凸状部を備える構成でもかまわない。この構成であっても、同様に、ポンプヘッド１２０が押下されるとシリンダキャップ１３１が下方に移動するのに伴ってピストン軸１３２が回転するためである。
【００３４】
羽部材１４０は、ピストン軸１３２の下端部に連結されていることから、ピストン軸１３２の回転に伴って回転する。
【００３５】
上述のように、ポンプヘッド１２０が押下されることにより、容器本体１１０内に充填されている内容物がポンプ部１３０によって吸い上げられて吐出口１２１から吐出されるとともに、シリンダキャップ１３１およびピストン軸１３２を介して羽部材１４０が回転して掻集部１４１によって容器本体１１０内の底面部に残っている内容物を底面部の中央部に掻き集めるようになっている。
【００３６】
さらに、羽部材１４０の逆回転を防止するためのラチェット機構を備えている。具体的には、ポンプ式容器１００は羽部材１４０とポンプ部１３０との連結部分において第１ラチェット機構１４３を有しており、羽部材１４０と容器本体１１０の底面部との当接部分において第２ラチェット機構１４４を有している。
【００３７】
第１ラチェット機構１４３は、羽部材１４０とポンプ部１３０との連結部分において形成されており、ポンプ部１３０下端のラチェット歯と、羽部材１４０上端のラチェット歯とで構成されている。それらのラチェット歯を嵌合させることにより、羽部材１４０はポンプ部１３０に対して一方向のみ回転し、逆方向には回転しない構成となっている。ここでいう逆方向には回転しないとは、一方が回転をする時に他方も一体となって回転することを含む。
【００３８】
第２ラチェット機構１４４は、羽部材１４０と容器本体１１０内の底面部とが当接する箇所に備えられており、羽部材１４０の掻集部１４１に備えられているラチェット歯と、底面部側のラチェット歯とで構成されている。それらのラチェット歯を嵌合させることにより、掻集部１４１が容器本体１１０内の底面部に対して一方向にのみ回転し、逆方向には回転しない構成となっている。
【００３９】
ポンプヘッド１２０が押下されることにより、ポンプ部１３０が回転するとともに第１ラチェット機構１４３によりポンプ部１３０と、羽部材１４０とが嵌合して一体となって回転する（回転方向Ａ）。
【００４０】
その後、押下されたポンプヘッド１２０は、バネ材１２２によって元の位置に戻されるとともに、シリンダキャップ１３１に設けられた螺旋溝１３３とピストン軸１３２に備えられた凸状部１３４とにより、ポンプ部１３０は回転する（回転方向Ａとは逆方向）。その際、第１ラチェット機構１４３により、ポンプ部１３０は羽部材１４０に対して回転可能であり、第２ラチェット機構１４４により、羽部材１４０の掻集部１４１は容器本体内の底面部に対して回転しない（回転方向Ａとは逆方向）。
【００４１】
換言すれば、ポンプヘッド１２０が戻る際、ポンプ部１３０は回転方向Ａとは逆方向に回転するが、羽部材１４０は回転せずに、容器本体１１０内の底面部に対してその位置に留まっている。
【００４２】
図３は、本発明の一実施形態に係る羽部材１４０を示す平面図である。図３において、羽部材１４０は、容器本体の底面部における内容物を掻集する掻集部１４１を含む。掻集部１４１には上述した第２ラチェット機構１４４を構成するための部材が備えられており、さらに、上部カバー１４１ａを有している。
【００４３】
掻集部１４１は、ポンプヘッド１２０が押下されることにより回転する方向、つまり回転方向Ａに対して、凹湾形状を有している。その際、掻き集められた内容物が当該掻集部１４１を乗り越えないように上部カバー１４１ａを有していることが好ましい。
【００４４】
図４は、掻集部１４１の形状を詳しく説明するための図である。掻集部１４１は、容器本体の底面部の中心点Ｏを中心として回転することによって、容器本体内の底面部に残っている内容物を底面部の中央部に掻き集めるようになっている。
【００４５】
より詳細には、掻集部１４１は、中心点Ｏと当該掻集部１４１の中心点側の一端である根元部１４１ｂとを結んだ線よりも、当該回転方向に対して前側に位置する形状であって、当該掻集部１４１の外側の一端（先端）は、容器本体の外周に届く形状であることが好ましい。
【００４６】
上述した掻集部１４１であれば、回転による遠心力で容器本体の底面部における内容物を、容器本体の底面部における内容物を外側に広がることを防止するとともに、より確実に中央部に集めることができる。
【００４７】
図５は、本発明の一実施形態に係る容器本体１１０の底面部近傍を示す拡大図である。図５において、容器本体１１０の底面部は、中央部に向かって下りの傾斜を有する形状となっている。これにより、残り少なくなった内容物を効率良く中央部に集めることができる。
【００４８】
図６は、本発明の一実施形態に係る容器本体１１０の底面部に蓋１１１を有する構成を示す拡大図である。図６において、容器本体１１０の底面部に取り外し可能な蓋１１１を有する構造を備えている。容器本体１１０に内容物を充填する際、当該蓋１１１を取り外して充填することができる。特に、開口部が大きい底面部から内容物を充填することができれば、効率よく内容物を充填することができる。
【００４９】
さらに、容器本体１１０と蓋１１１との間にはパッキン１１２を備えていれば、容器本体１１０に蓋１１１を取り付け後、充填された内容物が漏れることを防止することができる。
【００５０】
なお、蓋は、必ずしも容器本体１１０の底面部に備える構成でなくても、例えば、容器本体１１０の上面部を取り外し可能な構成としても構わない。上面部から内容物を充填することができれば、容器本体１１０を逆さまにする必要がなく、内容物が容器本体１１０に残っていたとしても容易に内容物を充填することができる。
【００５１】
以上のように、本発明の一実施形態に係るポンプ式容器１００によれば、容器本体１１０に充填される内容物が粘性の高い液体やジェルやゲル状の固体であっても、残り少なくなった内容物を、羽部材１４０を回転させることによって掻き集めるとともに、ポンプ部１３０を用いて吸い上げて取り出すことができる。
【００５２】
なお、容器本体１１０は軽くて成型しやすい樹脂製であることが好ましいが、これに限定されるものではなく、充填される内容物に応じて、例えば、耐久性、耐腐食性、耐熱性に優れているアルミ、ステンレス、セラミック、および繊維強化プラスチック等でも構わない。
【００５３】
また、本実施形態では、容器本体１１０に充填される内容物として、シャンプー、リンス、またはジェルやゲル状の化粧液等を例示したが、これらに限定されるものではなく、その他、例えば、コンディショナー、クレンジングオイル、洗顔クリーム、ハンドソープ、日焼け止めクリーム、衣服用液体洗剤、台所用液体洗剤、および調味料等でも構わない。
【００５４】
さらに、本実施形態においては、特に詳細な説明はしなかったが、ポンプヘッド１２０のバネ材１２２の上方には逆流防止弁が配置されている。このようにポンプ部１３０によって吸い上げられた内容物の逆流を防止するために内部に逆流防止弁を設けることが好ましい。また、逆流防止弁はこれに限定されるものではなく、ポンプ部１３０の内部に設けても構わないし、適宜、複数個設けても構わない。
【００５５】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００５６】
本発明は、ポンプ式容器等に利用可能であって、特に、残り少なくなった内容物を吸い上げ可能なポンプ式容器に有用である。
【符号の説明】
【００５７】
１００    ポンプ式容器
１１０    容器本体
１１１    蓋
１１２    パッキン
１２０    ポンプヘッド
１２１    吐出口
１２２    バネ材
１３０    ポンプ部
１３１    シリンダキャップ
１３２    ピストン軸
１３３    螺旋溝
１３４    凸状部
１４０    羽部材
１４１    掻集部
１４１ａ  上部カバー
１４１ｂ  根元部
１４２    吸込み口
１４３    第１ラチェット機構
１４４    第２ラチェット機構
Ａ    回転方向
Ｏ    中心点
【図１】
2018058623.tif 000003
【図２】
2018058623.tif 000004
【図３】
2018058623.tif 000005
【図４】
2018058623.tif 000006
【図５】
2018058623.tif 000007
【図６】
2018058623.tif 000008